(57)【要約】【課題】ブロードキャストバーストを用いることなく各バーストの変調方式を検出する。【解決手段】各バーストのプリアンブル部には共通の領域Ｃが含まれることを利用して、入力されるバースト３〜６の時間位置を検出する。次に、領域Ａ、領域Ｂ、領域Ｃにおける各サブキャリア８のシンボルデータの割当パターンが異なることを利用して、先に検出されたバーストの種別を判定する。この判定されたバーストのデータ部を構成する各シンボルデータを取得し、変調精度（ＥＶＭ）を算出する。【選択図】      図１
2005303387.tif 000002
【特許請求の範囲】
【請求項１】
アクセスポイント（１）から移動端末（２）へＯＦＤＭ変調信号からなるブロードキャストバースト（３）及びダウンリンクバースト（４）を送信し、移動端末からアクセスポイントへＯＦＤＭ変調信号からなるアップリンクバースト（５）を送信する広帯域移動アクセスシステムにおける、前記各バーストを構成するプリアンブル部（９）とデータ部（１０）とのうちのデータ部の振幅位相変調を解析する変調信号解析装置において、
前記アクセスポイント又は移動端末から入力された前記各バーストを含む入力信号を直交復調してデジタルのＩ，Ｑ信号としてデータメモリ（２６）に書込む信号入力処理部（１７）と、
前記データメモリに書込まれたデジタルのＩ，Ｑ信号を順次読出すデータ読出手段（２９）と、
このデータ読出手段で順次読出されたデータを用いて各バーストのプリアンブル部に共通に含まれる領域Ｃを検出することによって、前記入力信号に含まれるバーストの時間位置を検出するバースト検出手段（３０）と、
このバースト検出手段で検出されたバーストの領域Ｃの前に位置するシンボルデータを高速フーリエ変換して各サブキャリアのシンボルデータを求めるＦＦＴ処理手段（３２）と、
この求められた各サブキャリアに対するシンボルデータの割当パターンに基づいて、該当バーストのバースト種別を判定するバースト種別判定手段（３４）と、
この判定されたバーストのデータ部（１０）を構成する各シンボルデータをデータメモリ（２６）から取得し、変調精度（ＥＶＭ）を算出する変調精度算出手段（３６）と
を備えたことを特徴とする変調信号解析装置。
【発明の詳細な説明】
【技術分野】
【０００１】
本発明は、広帯域移動アクセスシステムにおけるアクセスポイント（ＡＰ）と移動端末（ＭＴ）との間で送受信されるブロードキャストバースト、ダウンリンクバースト、アップリンクバーストの各バーストを構成する変調信号を解析する変調信号解析装置に関する。
【背景技術】
【０００２】
ケーブル（線）を使用しないＬＡＮとして通信媒体に電波を使用する無線ＬＡＮシステムが実用化されている。この電波を用いる通信規格として、ＩＥＥＥ（米国電気電子技術者協会）で制定された規格ＩＥＥＥ８０２．１１ａにおいては、ネットワークの中継器としてのアクセスポイント（ＡＰ）と各移動端末（ＭＴ）との間の情報はＯＦＤＭ（Orthogonal Frequency Division Multiplexing  直交周波数分割多重）変調されて電波で送受信される。
【０００３】
さらに、近年、この規格ＩＥＥＥ８０２．１１ａを改良したＨiＳＷＡＮａ（High Speed Wireless Access Network type a）やＨiper ＬＡＮ（High performance LAN）等の規格を採用した広帯域移動アクセスシステムが実用化されている。図７は、この広帯域移動アクセスシステムの模式図である。アクセスポイント（ＡＰ）１から移動端末（ＭＴ）２へ、ＯＦＤＭ変調信号からなるブロードキャストバースト（Broadcast Burst）３及びダウンリンクバースト（Downlink Burst）４を送信し、移動端末（ＭＴ）２からアクセスポイント（ＡＰ）１へＯＦＤＭ変調信号からなるアップリンクバースト(Uplink Burst)５を送信する。なお、必要に応じて、移動端末（ＭＴ）２からアクセスポイント（ＡＰ）１へＯＦＤＭ変調信号からなるＲＣＨ（ランダムチャネル）バースト６を送信する場合もある。
【０００４】
図８はＯＦＤＭ変調信号の特徴を示す図である。  
図８（ａ）はこのＯＦＤＭ変調信号７を周波数を横軸として示す模式図である。このＯＦＤＭ変調信号７は、一定の周波数間隔ΔＦ（＝３１２．５ｋHz）で配列された複数（＝６４個）のサブキャリア８で構成されている。そして、各サブキャリア８に送受信される情報が組込まれている。周波数間隔ΔＦ（＝３１２．５ｋHz）は、互いに隣接するサブキャリア８の周波数軸上の波形が互いに直交するように設定されている。各サブキャリア８には、例えば、ＢＰＳＫ、ＱＰＳＫ、１６ＱＡＭ等で変調された情報が組込まれている。
【０００５】
そして、このＯＦＤＭ変調信号７の全体の占有周波数帯域幅ＳWは、図８（ｂ）のスペクトラム図に示すように、ＳW＝２０ＭHz（＝３１２．５ｋHz×６４）となる。しかし、上述した広帯域移動アクセスシステムで使用されるＯＦＤＭ変調信号７においては、―２６、…、―１、０、１、…、２５、２６の番号ｎが付されたサブキャリア８のうち、番号０が付されたものを除く、５２個のみ情報が組込まれる。
【０００６】
この５２個のサブキャリア８のうち、―２１番（ｎ＝―２１）、―７番（ｎ＝―７）、７番（ｎ＝７）、２１番（ｎ＝２１）の４本のサブキャリア８は、パイロットサブキャリアとして、固定情報が設定されている。
【０００７】
具体的には、ｎ＝―２１、ｎ＝―７、ｎ＝７、ｎ＝２１の４本の各パイロットサブキャリアのシンボルデータは、ＢＰＳＫの固定の変調方式で位相変調され、Ｉ、Ｑ信号値で示した固定値が設定されている。このＩ、Ｑ信号値で示した固定値（基準座標）は、パイロットサブキャリア毎に、［１，０］、［１，０］、［１，０］、［―１，０］である。したがって、位相としては０°（０ラジアン）、又は１８０°（πラジアン）の基準位相である。
【０００８】
図９は、ブロードキャストバースト３、ダウンリンクバースト４、アップリンクバースト５、及びＲＣＨバースト６の伝送フレームを示す図である。各バースト３、４、５、６はそれぞれプリアンブル部９とデータ部１０とで構成されている。
【０００９】
ブロードキャストバースト３のプリアンブル部９には、先頭から領域Ａ１１、領域Ｂ１２、領域Ｃ１３が設定され、データ部１０には、ＢＣＨ（報知チャネル）、ＦＣＨ（フレームチャネル）、ＡＣＨ（アクセスフィードバックチャネル）が設定されている。ＦＣＨには、ダウンリンクバースト４及びアップリンクバースト５のデータ部１０に設定されたＳＣＨ（ショートトランスポートチャネル）やＬＣＨ（ロングトランスポートチャネル）のフレーム内の開始位置や変調方式を示す情報等が書込まれている。データ部１０のＢＣＨ、ＦＣＨ、ＡＣＨはＢＰＳＫの固定の変調方式で変調されている。
【００１０】
ダウンリンクバースト４のプリアンブル部９には領域Ｃ１３が設定され、データ部ｌ０には移動端末２へ送信する情報が組込まれるＳＣＨ、ＬＣＨが設定される。データ部ｌ０のＳＣＨ、ＬＣＨの変調方式は、伝送路の状態に応じて自動的に切換わる。
【００１１】
アップリンクバースト５のプリアンブル部９には、先頭から領域Ｂ１２、領域Ａ１１、領域Ｃ１３が設定され、データ部ｌ０にはアクセスポイント（ＡＰ）１へ送信する情報が組込まれるＬＣＨ、ＳＣＨが設定される。データ部ｌ０のＬＣＨ、ＳＣＨの変調方式は、伝送路の状態に応じて自動的に切換わる。
【００１２】
さらに、ＲＣＨバースト６のプリアンブル部９には、先頭から領域Ｂ１２、領域Ａ１２、領域Ｃ１３が設定され、データ部ｌ０にはランダムアクセス時の要求が組込まれるＲＣＨ（ランダムチャネル）が設定される。データ部ｌ０のＲＣＨはＢＰＳＫの固定の変調方式で変調されている。
【００１３】
図１０（ａ）は、ブロードキャストバースト３のプリアンブル部９の詳細構成を示すフォーマット図である。領域Ａ１１はそれぞれ０．８μｓ長を有する５個の固定値（Ａ、ＩＡ、Ａ、ＩＡ、ＩＡ）で構成されている。そして、０．８μｓ長を有する各固定値（Ａ、ＩＡ、Ａ、ＩＡ、ＩＡ）がＯＦＤＭ変調信号における[１シンボルデータ]となる。したがって、領域Ａ１１は５シンボルデータで構成されている。なお、データ［Ｉ…］はデータ［…］を極性反転したデータを示す。
【００１４】
領域Ｂ１２はそれぞれ０．８μｓ長を有する５個の固定値（Ｂ、Ｂ、Ｂ、Ｂ、ＩＢ）で構成されている。領域Ｃ１３はそれぞれ３．２μｓ長を有する２個の固定値（Ｃ、Ｃ）と１．６μｓ長を有する１個の複写値ＣＰとで構成されている。
【００１５】
図１０（ｂ）は、ダウンリンクバースト４のプリアンブル部９の詳細構成を示すフォーマット図である。このプリアンブル部９は、ブロードキャストバースト３のプリアンブル部９の領域Ｃ１３と同一構成の領域Ｃ１３で構成されている。
【００１６】
図１０（ｃ）は、アップリンクバースト５のプリアンブル部９の詳細構成を示すフォーマット図である。このプリアンブル部９は、ブロードキャストバースト３のプリアンブル部９の領域Ｂ１２、領域Ａ１１、領域Ｃ１３と、それぞれ同一構成の領域Ｂ１２、領域Ａ１１、領域Ｃ１３で構成されている。
【００１７】
ブロードキャストバースト３、アップリンクバースト５、ＲＣＨバースト６の各領域Ａ１１の各シンボルデータ（Ａ、ＩＡ、Ａ、ＩＡ、ＩＡ）は、図１１の割当パターンテーブル１４に示すように、前述した５２個のサブキャリア８のうち、±２，±６，±１０，±１４，±１８，±２２の合計１２個のサブキャリア８に割当てられている。
【００１８】
ブロードキャストバースト３、アップリンクバースト５、ＲＣＨバースト６の各領域Ｂ１２の各シンボルデータ（Ｂ、Ｂ、Ｂ、Ｂ、ＩＢ）は、図１１の割当パターンテーブル１４に示すように、前述した５２個のサブキャリア８のうち、±４，±８，±１２，±１６，±２０，±２４の合計１２個のサブキャリア８に割当てられている。
【００１９】
ブロードキャストバースト３、ダウンリンクバースト４、アップリンクバースト５、ＲＣＨバースト６の各領域Ｃ１３の各シンボルデータ（Ｃ、ＣＰ）は、図１１の割当パターンテーブル１４に示すように、前述した５２個全部のサブキャリア８に割当てられている。
【００２０】
このような構成の広帯域移動アクセスシステムを新規に構築した場合には、アクセスポイント（ＡＰ）１と移動端末（ＭＴ）２との間で送受信されるブロードキャストバースト３、ダウンリンクバースト４、アップリンクバースト５の信号品質を、バースト種別毎に評価及び確認する必要がある。
【発明の開示】
【発明が解決しようとする課題】
【００２１】
しかしながら、実際のシステム連用に則した評価系においては、ブロードキャストバースト３、ダウンリンクバースト４、アップリンクバースト５が同一の伝送路に出力され、次々と変調信号解析装置に入力される。
【００２２】
このような場合には、変調信号解析装置が解析するバーストの種別を識別する必要がある。前述したように、ダウンリンクバースト４、アップリンクバースト５の各データ部１０に設定されたＳＣＨやＬＣＨのフレーム内の開始位置を示す情報が、変調方式がＢＰＳＫに固定されたブロードキャストバースト３のデータ部１０に書込まれている。したがって、先ず、ブロードキャストバースト３を捕捉し、このブロードキャストバースト3のデータ部１０を復調してＳＣＨやＬＣＨの開始位置を示す情報を取得する。次に、この取得したＳＣＨやＬＣＨの開始位置に基づいてダウンリンクバースト４とアップリンクバースト５を識別すればよい。
【００２３】
しかし、その都度、ブロードキャストバースト３を受信し、これを復調してＳＣＨやＬＣＨの開始位置を示す情報を取得することは、変調信号解析装置自体に移動端末（ＭＴ）２の受信機能を組込む必要があるので、変調信号解析装置自体が複雑化し、かつ解析時間が長くなる問題がある。
【００２４】
また、変調信号解析装置として、ブロードキャストバースト３を受信、解析せずに、ダウンリンクバースト４、アップリンクバースト５の信号品質の評価ができることが要求されている。
【００２５】
さらに、移動端末（ＭＴ）２単独でアップリンクバースト５の信号品質の評価を実施する場合には、ブロードキャストバースト３の存在なしに評価を実施する必要がある。
【００２６】
本発明はこのような事情に鑑みてなされたものであり、たとえブロードキャストバーストを解析しなくても、ダウンリンクバースト、アップリンクバースト等の各バーストにおけるの信号品質の評価を単独で実施でき、さらに、種別の異なるバーストが次々と入力される実際のシステム運用に則した評価系においても、バースト種別毎に変調信号の解析ができる変調信号解析装置を提供することを目的とする。
【課題を解決するための手段】
【００２７】
上記課題を解消するために、本発明は、アクセスポイントから移動端末へＯＦＤＭ変調信号からなるブロードキャストバースト及びダウンリンクバーストを送信し、移動端末からアクセスポイントへＯＦＤＭ変調信号からなるアップリンクバーストを送信する広帯域移動アクセスシステムにおける、各バーストを構成するプリアンブル部とデータ部とのうちのデータ部の振幅位相変調を解析する変調信号解析装置において、アクセスポイント又は移動端末から入力された各バーストを含む入力信号を直交復調してデジタルのＩ，Ｑ信号としてデータメモリに書込む信号入力処理部と、データメモリに書込まれたデジタルのＩ，Ｑ信号を順次読出すデータ読出手段と、このデータ読出手段で順次読出されたデータを用いて各バーストのプリアンブル部に共通に含まれる領域Ｃを検出することによって、入力信号に含まれるバーストの時間位置を検出するバースト検出手段と、このバースト検出手段で検出されたバーストの領域Ｃの前に位置するシンボルデータを高速フーリエ変換して各サブキャリアのシンボルデータを求めるＦＦＴ処理手段と、この求められた各サブキャリアに対するシンボルデータの割当パターンに基づいて、該当バーストのバースト種別を判定するバースト種別判定手段と、この判定されたバーストのデータ部を構成する各シンボルデータをデータメモリから取得し、変調精度（ＥＶＭ）を算出する変調精度算出手段とを備えている。
【００２８】
このように構成された変調信号解析装置においては、ブロードキャストバースト、ダウンリンクバースト及びアップリンクバーストの各バーストのプリアンブル部には共通の領域Ｃが含まれることを利用して、先ず、この変調信号解析装置へ入力されるバーストの時間位置が検出される。次に、領域Ａ、領域Ｂ、領域Ｃにおける各サブキャリアのシンボルデータの割当パターンが異なることを利用して、先に検出されたバーストの種別が判定される。
【００２９】
このように、ブロードキャストバーストを復調してフレーム内のＳＣＨやＬＣＨの開始位置を示す情報を用いることなく各バーストの種別を検出できる。
【発明の効果】
【００３０】
このような構成の変調信号解析装置においては、各バーストのプリアンブル部には共通の領域Ｃが含まれること、及び各サブキャリアのシンボルデータの割当パターンを利用して、入力信号に含まれる各バーストの種別を検出している。
【００３１】
したがって、たとえブロードキャストバーストを解析しなくても、ダウンリンクバースト、アップリンクバースト等の各バーストにおける信号品質の評価を単独で実施でき、さらに、種別の異なるバーストが次々と入力される実際のシステム運用に則した評価系においても、バースト種別毎に変調信号の解析ができる。
【発明を実施するための最良の形態】
【００３２】
以下、本発明の一実施形態を図面を用いて説明する。
【００３３】
図１は本発明の一実施形態に係わる変調信号解析装置の概略構成を示すブロック図である。
【００３４】
入力端子１５から入力されたアナログの入力信号１６は信号入力処理部１７へ入力される。この入力信号１６には、図７で示した広帯域移動アクセスシステムにおけるアクセスポイント（ＡＰ）１と移動端末（ＭＴ）２との間で送受信される、ＯＦＤＭ変調信号からなるブロードキャストバースト３、ダウンリンクバースト４、アップリンクバースト５、及びＲＣＨバースト６が含まれる。各バースト３、４、５、６は図９、図１０（ａ）（ｂ）（ｃ）に示す構造及び伝送フレームを有する。また、各バースト３、４、５、６を構成するＯＦＤＭ変調信号７は図８（ａ）（ｂ）に示すように５２個のサブキャリア８で構成されている。
【００３５】
信号入力処理部１７へ入力された５ＧHz帯の搬送周波数ωを有するＯＦＤＭ変調信号７からなる各バースト３〜６を含む入力信号１６は、減衰器１８でもって信号レベルが所定の信号レベルに変換されたのち、周波数変換部１９へ入力される。
【００３６】
周波数変換部１９は、入力された入力信号１６の５ＧHz帯の搬送周波数ωを中間周波数（ＩＦ）に変換して、新たな中間周波数（ＩＦ）の入力信号１６として、Ａ／Ｄ変換部２０へ送出する。Ａ／Ｄ変換部２０は、入力されたアナログの入力信号１６を所定のサンプリングクロックでサンプリングしてデジタルの入力信号１６に変換して、次の直交復調部２１へ送出する。
【００３７】
直交復調部２１は、図２に示すように、一対の信号乗算器（位相検波器）２２ａ、２２ｂと、中間周波数（ＩＦ）に変換された搬送波信号を出力する搬送波発生器２３、搬送波信号の位相を９０°移相させるπ／２移相器２４、一対のＬＰＦ２５ａ、２５ｂで構成されている。なお、この直交復調部２１の上述した各構成部材は例えば小型のデジタル処理回路素子で構成されている。このような周知の直交復調部２１において、入力されたデジタルの中間周波数（ＩＦ）のＯＦＤＭ変調信号からなる入力信号１６はデジタルのＩ（同位相）信号とＱ（直交位相）信号とに直交復調される。直交復調部２１は、直交復調したデジタルのＩ信号とＱ信号とをデータメモリ２６へ書込む。なお、入力信号１６におけるバースト３〜６以外の部分のＩ信号とＱ信号は共にほぼ「０」レベルである。
【００３８】
小型のコンピュータからなるデータ処理部２７は、データメモリ２６に書込まれたデジタルのＩ信号とＱ信号とを読出し、このＩ信号とＱ信号とに基づいて、入力信号１６に含まれる各バースト３〜６を特定し、各バースト３〜６のデータ部１０の変調精度（ＥＶＭ）を算出して表示部２８に表示出力する。
【００３９】
コンピュータからなるデータ処理部２７内には、図３に示すように、データ読出部２９、バースト検出部３０、搬送周波数検出・補正部３１、ＦＦＴ処理部３２、サブキャリア抽出部３３、バースト種別判定部３４、割当パターンメモリ３５、変調精度算出部３６が設けられている。
【００４０】
データ読出部２９は、データメモリ２６に記憶されたデジタルの各Ｉ，Ｑ信号を順次読出して、バースト検出部３０へ送出する。さらに、データ読出部２９は、変調精度算出部３６から指定されたバースト３〜６の、データ部１０の各シンボルデータをデータメモリ２６から順次読出して、変調精度算出部３６へ返送する。
【００４１】
バースト検出部３０内には、各バースト３〜６に共通するプリアンブル部９の領域Ｃ１３を構成する固定の各シンボルデータＣＰ、Ｃのパターンが記憶されており、バースト検出部３０は、データ読出部２９から順次入力されるデータのパターンと記憶されている各シンボルデータのパターンとの相関係数を計算することにより、入力信号１６に含まれる各バースト３〜６の領域Ｃ１３の時間位置を特定する。
【００４２】
搬送周波数検出・補正部３１は、バースト検出部３０で検出されたバースト３〜６のＯＦＤＭ変調信号の搬送周波数ωを検出する。具体的には、各Ｉ，Ｑ信号（シンボルデータ）の１周期分の波形に含まれるＩ，Ｑ信号の数（データ数）から搬送周波数ωを算出する。そして、この搬送周波数ωの基準搬送周波数ω0からの周波数誤差Δωを算出する。さらに、この周波数誤差Δωで、データ読出部２９で読出された各Ｉ，Ｑ信号（シンボルデータ）を補正する。具体的には、各Ｉ，Ｑ信号（シンボルデータ）の１周期分の波形に含まれるＩ，Ｑ信号（データ数）の数を補正する。
【００４３】
ＦＦＴ処理部３２は、バースト種別判定部３４及び変調精度算出部３６で指定されたシンボルデータを高速フーリエ変換して、このシンボルデータを５２個のサブキャリア８のシンボルデータに分解する。
【００４４】
サブキャリア抽出部３３は、ＦＦＴ処理部３２から出力された５２個の各サブキャリア８に対する有効なシンボルデータの割当状態を検出して、測定割当パターンとして、バースト種別判定部３４へ送出する。
【００４５】
割当パターンメモリ３５内には、図１１に示した割当パターンテーブル１４の領域Ａ１１、領域Ｂ１２、領域Ｃ１３における有効なシンボルデータが割当てられたサブキャリア８の割当パターンが記憶されている。
【００４６】
バースト種別判定部３４は、検出したバースト３〜６における領域Ｃ１３の先頭位置から５シンボルデータ前に位置するシンボルデータをＦＦＴ処理部３２へ送出する。そして、サブキャリア抽出部３３から入力された該当シンボルデータの測定割当パターンと割当パターンメモリ３５に記憶された割当パターンとを比較して、測定割当パターンに一致する割当パターンの領域Ａ１１、領域Ｂ１２、領域Ｃ１３を特定する。
【００４７】
領域Ａ１１が特定された場合は、領域Ｃ１３の前に領域Ａ１１が存在するので、検出したバーストは、図９、図１０に示すように、アップリンクバースト５又はＲＣＨバースト６のバースト種別であると判定する。領域Ｂ１２が特定された場合は、領域Ｃ１３の前に領域Ｂ１２が存在するので、検出したバーストは、図９、図１０に示すように、ブロードキャストバースト３のバースト種別であると判定する。
【００４８】
なお、測定割当パターンにサブキャリア８が全く割当られていない場合は、領域Ｃ１３がバーストの先頭に位置するので、検出したバーストは、図９、図１０に示すように、ダウンリンクバースト４のバースト種別であると判定する。
【００４９】
さらに、領域Ｃ１３が特定された場合は、検出したバーストはダウンリンクバースト４であり、かつこのダウンリンクバースト４の直前にブロードキャストバースト３が存在し、ブロードキャストバースト３のデータ部１０内のシンボルデータを検出したと判断して、検出したバーストは、図９、図１０に示すように、ダウンリンクバースト４のバースト種別であると判定する。なお、ブロードキャストバースト３のデータ部１０内のシンボルデータは、領域Ｃ１３と同様に全部のサブキャリア８に割当られている。
【００５０】
変調精度算出部３６は、バースト種別判定部３４で判定されたバーストの、データ部１０を構成する各シンボルデータを、解析の対象とするデータ区間にわたって、データ読出部２９に指示してデータメモリ２６から順番に取得し、ＦＦＴ処理部３２へ送出するとともに、ＦＦＴ処理部３２が返送してくるフーリエ変換された前記各シンボルデータについて、指定された変調方式に対する変調精度（ＥＶＭ）を順次算出したうえで、前記データ区間における変調精度（ＥＶＭ）の実効値、最大値等を算出し、表示部２８にこれらの算出結果を表示出力する。
【００５１】
なお、上記の「解析の対象とするデータ区間」及び「指定された変調方式」は、変調信号解析装置の設定パラメータとして、外部から設定できてもよいし、固定のパラメータとして、変調信号解析装置が保持していてもよい。
【００５２】
図４はデータ処理部２７の全体動作を示す流れ図である。  
先ず、ステップＳ１にて、データ読出部２９及びバースト検出部３０が起動して、データメモリ２６から読出される入力信号１６に含まれるバースト３〜６の時間位置を検出する（バースト検出、領域Ｃ特定）。次に、領域Ｃ１３の先頭位置より５シンボルデータ前（時間的に前）のシンボルデータを基準とする（Ｓ２）。この基準のシンボルデータの番号をｍ＝１に初期設定する（Ｓ３）。
【００５３】
データメモリ２６からｍ番目のシンボルデータを読出して、このシンボルデータに対してシンボルタイミングの微調整を実施する（Ｓ４）。さらに、このシンボルデータに対して前述した搬送周波数検出・補正部３１でもって、周波数誤差Δωを算出し、このシンボルデータを補正する（Ｓ５）。このｍ番目のシンボルデータを、ＦＦＴ処理部３２で、高速フーリエ変換して、５２個のサブキャリア８のシンボルデータに分解する（Ｓ６）。そして、サブキャリア抽出部３３が起動して、ｍ番目のシンボルデータの各サブキャリア８に対する測定割当パターンを検出する（Ｓ７）。バースト種別判定部３４が起動して、前述したアルゴリズムに従って、今回検出したバーストのバースト種別を判定する（Ｓ８）。
【００５４】
正常に判定できなかった場合は（Ｓ９）、読出すシンボルデータの番号ｍを１だけ更新して（Ｓ１０）、更新後の番号ｍが［５］を超えていないことを確認して（Ｓ１１）、Ｓ４へ戻り、更新後のｍ番目のシンボルデータ（前回のシンボルデータの次の時間位置のシンボルデータ）を読出し、この読出したシンボルデータに対する前述した各種の処理を実行する。
【００５５】
更新後の番号ｍが［５］を超えると、表示部２８に「バースト種別不明」を表示して（Ｓ１２）、Ｓ１へ戻り、入力信号１６の次のバーストの検出処理を開始する。
【００５６】
Ｓ９にて、正常に判定できた場合は、変調精度算出部３６が起動して、種別が判定されたバーストのデータ部１０から読出すシンボルデータの番号ｋをｋ＝１に初期設定する（Ｓ１３）。このシンボルデータ（ｋ＝１）の位置は、解析の対象とするデータ区間から定まる。次に、ｋ番目のシンボルデータを読出す（Ｓ１４）。この読出したシンボルデータに対して前述した搬送周波数検出・補正部３１でもって、周波数誤差Δωを算出し、このシンボルデータを補正する（Ｓ１５）。
【００５７】
このｋ番目のシンボルデータを、ＦＦＴ処理部３２で、高速フーリエ変換して、５２個のサブキャリア８のシンボルデータに分解する（Ｓ１６）。そして、５２個のサブキャリア８のうちの４本の各パイロットサブキャリアのシンボルデータの０°（０ラジアン）、又は１８０°（πラジアン）の基準位相を求めて基準座標を決定する（Ｓ１７）。この基準座標をもとに、サブキャリアに分解された各シンボルデータの位相を補正する。
【００５８】
次に、この補正された各シンボルデータについて、図６に示す変調精度（ＥＶＭ）を、指定された例えば図５（ａ）（ｂ）に示す変調方式に対して算出し、その値を保持する（Ｓ１８）。
【００５９】
その後、データ部１０から読出すシンボルデータの番号ｋを1だけ更新する（Ｓ１９）。更新後の番号ｋが、解析の対象とするデータ区間に含まれるシンボル数ｎを超えていないことを確認して（Ｓ２０）、Ｓ１４へ戻り、更新後のｋ番目のシンボルデータを読出す（Ｓ１４）。この読出したシンボルデータに対して、前述した各種の処理を実行する。
【００６０】
更新後の番号ｋが前記シンボル数ｎを超えると、（Ｓ２０）、これまで保持した各シンボルデータの、ｎ個（ｋ＝１，２，…，ｎ）の変調精度（ＥＶＭ）から、それらの実効値、最大値等を算出し（Ｓ２１）、表示部２８に表示出力する（Ｓ２２）。その後、Ｓ１に戻り、入力信号１６の次のバースト検出処理を開始する。
【００６１】
このように構成された変調信号解析装置においては、アクセスポイント（ＡＰ）１と移動端末（ＭＴ）２との間で送受信されるブロードキャストバースト３、ダウンリンクバースト４、アップリンクバースト５及びＲＣＨバースト６の各バーストのプリアンブル部９には、図９、図１０に示すように、共通の領域Ｃ１３が含まれる。このことを利用して、先ず、バースト検出部３９において、この変調信号解析装置へ入力される入力信号１６に含まれる各バースト３〜６の時間位置が検出される。
【００６２】
次に、バースト種別判定部３４において、プリアンブル部９を構成する領域Ａ１１、領域Ｂ１２、領域Ｃ１３における５２個の各サブキャリア８に対するシンボルデータの割当パターンが異なることを利用して、先に検出されたバーストのバースト種別が判定される。
【００６３】
したがって、アクセスポイント（ＡＰ）１から出力されたブロードキャストバースト３を復調して、フレーム内のＳＣＨやＬＣＨの開始位置を示す情報を用いることなく各バースト３〜６の種別を特定し、そのデータ部１０の変調精度（ＥＶＭ）を算出できる。
【図面の簡単な説明】
【００６４】
【図１】本発明の一実施形態に係わる変調信号解析装置の概略構成を示すブロック図
【図２】同実施形態に係わる変調信号解析装置に組込まれた直交復調部の詳細構成を示すブロック図
【図３】同実施形態に係わる変調信号解析装置に組込まれたデータ処理部の詳細構成を示すブロック図
【図４】同実施形態に係わる変調信号解析装置に組込まれたデータ処理部の全体動作を示す流れ図
【図５】入力信号の変調方式を示す図
【図６】入力信号の変調精度を示す図
【図７】一般的な広帯域移動アクセスシステムを示す模式図
【図８】ＯＦＤＭ変調信号の構成を示す図
【図９】各バーストの伝送フレームを示す図
【図１０】同じく各バーストの伝送フレームを示す図
【図１１】各バーストのプリアンブル部の各領域のサブキャリアの割当パターンテーブルを示す図
【符号の説明】
【００６５】
１…アクセスポイント（ＡＰ）、２…移動端末（ＭＴ）、３…ブロードキャストバースト、４…ダウンリンクバースト、５…アップリンクバースト、６…ＲＣＨバースト、７…ＯＦＤＭ変調信号、８…サブキャリア、９…プリアンブル部、１０…データ部、１１…領域Ａ、１２…領域Ｂ、１３…領域Ｃ、１４…割当パターンテーブル、１６…入力信号、１７…信号入力処理部、１８…減衰器、１９…周波数変換部、２０…Ａ／Ｄ変換部、２１…直交復調部、２６…データメモリ、２７…データ処理部、２８…表示部、２９…シンボルデータ読出部、３０…バースト検出部、３１…搬送周波数検出・補正部、３２…ＦＦＴ処理部、３３…サブキャリア抽出部、３４…バースト種別判定部、３５…割当パターンメモリ、３６…変調精度算出部
【図１】
2005303387.tif 000003
【図２】
2005303387.tif 000004
【図３】
2005303387.tif 000005
【図４】
2005303387.tif 000006
【図５】
2005303387.tif 000007
【図６】
2005303387.tif 000008
【図７】
2005303387.tif 000009
【図８】
2005303387.tif 000010
【図９】
2005303387.tif 000011
【図１０】
2005303387.tif 000012
【図１１】
2005303387.tif 000013